(57)【要約】【課題】患者の吸気の有無を表示することができ、且つ医療用酸素ボンベの口金に容易に確実に取り付けることができ、周囲の邪魔になることのない医療用酸素供給装置を提供する。【解決手段】供給装置Ａは、ボンベの口金を挿通する穴２と押圧部材３を有する取付部材１と、取付部材１と一体的に構成され、本体部１０ａと押圧部材と並行して配置された一対の突状部１０ｂ、１０ｃを有する平面視がコ字状のケーシング１０と、本体部に配置されノズル１２ａを有し酸素の圧力を調整する圧力調整部材１２と、取付部材１に摺動可能に装着される摺動部５と、摺動部と交差する方向に形成されボンベの口金Ｂに嵌装される嵌装部６と、を有し、該嵌装部をボンベの口金Ｂに装着したとき、ノズルが開口部４ａに対向し得るように形成された嵌装部材Ｃと、を有する。【選択図】        図１
2020006016.tif 000002
【特許請求の範囲】
【請求項１】
医療用酸素を流通させる開口部を有する医療用酸素ボンベの口金に取り付けられて患者に医療用酸素を供給する医療用酸素供給装置であって、
医療用酸素ボンベの口金を挿通する穴と、該穴に挿通した医療用酸素ボンベの口金を一方向に押圧する押圧部材を有する取付部材と、
前記取付部材と一体的に構成され、該取付部材に設けた押圧部材と対向して配置された本体部と、前記本体部と連続し且つ前記取付部材に設けた押圧部材と並行して配置された一対の突状部と、を有し平面視がコ字状に形成されたケーシングと、
前記ケーシングの本体部に配置され医療用酸素ボンベの口金に設けた開口部と嵌合して医療用酸素が供給されるノズルを有し供給された医療用酸素の圧力を調整する圧力調整部材と、
前記取付部材に摺動可能に装着される摺動部と、該摺動部と交差する方向に形成され医療用用酸素ボンベの口金に嵌装される嵌装部と、を有し、該嵌装部を医療用酸素ボンベの口金に装着したとき、前記圧力調整部材のノズルが医療用酸素ボンベの口金の側面に形成された開口部に対向し得るように形成された嵌装部材と、を有することを特徴とする医療用酸素供給装置。
【請求項２】
前記ケーシングは、該ケーシングの本体部又は該本体部から一方の突状部にかけて配置された圧力が調整された医療用酸素の流量を設定する流量設定部材と、該ケーシングの本体部又は該本体部から他方の突状部にかけて配置され流量が設定された医療用酸素を患者に対し連続して供給し又は患者の吸気に対応させて供給する弁部材と、該ケーシングの何れか一方の突状部に配置され、患者に対する医療用酸素の供給を連続的に行う連続供給又は吸気に対応させて行う吸気同調供給を選択する選択スイッチと、該ケーシングの他方の突状部に配置され、患者の吸気を検出する吸気検出センサと、該ケーシングの他方の突状部に配置され、吸気の有無を表示する吸気表示部と、該ケーシングの他方の突状部に配置され、前記選択スイッチによって吸気同調供給が選択されると共に前記流量設定部材によって流量が設定されたとき前記吸気検出センサの検出信号に基づいて前記弁部材を開閉すると共に前記吸気表示部に表示させるように制御する制御部と、
を有することを特徴とする請求項１に記載した医療用酸素供給装置。
【発明の詳細な説明】
【技術分野】
【０００１】
本発明は医療用酸素ボンベの口金に取り付けたとき周囲の邪魔になることがなく且つ医療用酸素ボンベの口金に対し容易に確実に取り付けることができる医療用酸素供給装置に関するものである。
【背景技術】
【０００２】
病室で医療用酸素ボンベを起立させて或いはカートに搭載して移動しつつ、患者に医療用酸素を供給することが行われる。医療用酸素ボンベから供給された医療用酸素は、所定の圧力に減圧された後、患者に対して予め設定された流量に調整される。そして、圧力及び流量が調整された医療用酸素がカニューラを経由して患者に供給される。
【０００３】
このため、医療用酸素ボンベの口金に装着される医療用酸素供給装置は、医療用酸素ボンベに充填された高圧の医療用酸素を減圧する減圧機構と、流量を調整する調節機構を内臓して構成されている（例えば特許文献１参照）。
【０００４】
特許文献１に記載された酸素供給装置は、患者の吸気に同調させて医療用酸素を供給するものである。この酸素供給装置は、ケーシングの端部に一体的に設けられた略ロ字状の結合部を介してボンベの口金に装着され、止めねじによって固定し得るように構成されている。また、ケーシングの内部には、高圧の医療用酸素を減圧する減圧部、減圧された医療用酸素を患者に供給又は停止する開閉部、患者の吸気に応じて開閉部を開閉する制御部、が直線的に配置されている。そして、減圧部と開閉部との間に配置されたオリフィスプレートを操作することで、医療用酸素の流量を設定し得るように構成されている。
【０００５】
また、医療用酸素ボンベを在宅で利用する場合、該医療用酸素ボンベに対する医療用酸素供給装置の着脱は患者が自ら或いは介護者が行うため、確実で容易に取り付ける得ることが重要となる。このため、特許文献２に記載された取付治具が提案されている。
【先行技術文献】
【特許文献】
【０００６】
【特許文献１】特許第６１９２２１３号公報
【特許文献２】特開２０１６−１７１８２３号公報
【発明の概要】
【発明が解決しようとする課題】
【０００７】
特許文献１に記載された医療用酸素供給装置では、患者の吸気に応じて医療用酸素を供給する機構が機械的に構成されており合理的であるものの、呼気の有無を検出して表示する構成ではない。また、減圧部、開閉部、制御部、流量設定部が直列に配列されているため、ボンベの口金に取り付けたとき、口金からの突出長さが大きくなり、該ボンベの起立状態が不安定になる虞が生じている。更に、ボンベをカートに搭載して移動する際に、医療用酸素供給装置がボンベから突出するようになり、周囲に対して邪魔になる虞も生じている。
【０００８】
また、在宅で医療用酸素ボンベの口金に特許文献１に記載された医療用酸素供給装置を装着する際に、該医療用酸素供給装置のノズルを医療用酸素ボンベの口金に形成されている開口部に対向させる作業が困難になる虞が生じている。
【０００９】
このため、患者の吸気の有無を検出して表示することが可能で、且つ医療用酸素ボンベの口金に容易に且つ確実に取り付けることが可能で、取り付けた後もボンベの起立状態の不安定化を招くことがなく、且つ周囲に対して邪魔になることのないような医療用酸素供給装置の開発が要求されているのが実情である。
【００１０】
本発明の目的は、患者の吸気の有無を表示することができ、且つ医療用酸素ボンベの口金に容易に且つ確実取り付けることができ、取り付けた後、周囲の邪魔になることのない医療用酸素供給装置を提供することにある。
【課題を解決するための手段】
【００１１】
上記課題を解決するための本発明に係る医療用酸素供給装置は、医療用酸素を流通させる開口部を有する医療用酸素ボンベの口金に取り付けられて患者に医療用酸素を供給する医療用酸素供給装置であって、医療用酸素ボンベの口金を挿通する穴と、該穴に挿通した医療用酸素ボンベの口金を一方向に押圧する押圧部材を有する取付部材と、前記取付部材と一体的に構成され、該取付部材に設けた押圧部材と対向して配置された本体部と、前記本体部と連続し且つ前記取付部材に設けた押圧部材と並行して配置された一対の突状部と、を有し平面視がコ字状に形成されたケーシングと、前記ケーシングの本体部に配置され医療用酸素ボンベの口金に設けた開口部と嵌合して医療用酸素が供給されるノズルを有し供給された医療用酸素の圧力を調整する圧力調整部材と、前記取付部材に摺動可能に装着される摺動部と、該摺動部と交差する方向に形成され医療用用酸素ボンベの口金に嵌装される嵌装部と、を有し、該嵌装部を医療用酸素ボンベの口金に装着したとき、前記圧力調整部材のノズルが医療用酸素ボンベの口金の側面に形成された開口部に対向し得るように形成された嵌装部材と、を有するものである。
【００１２】
上記医療用酸素供給装置に於いて、前記ケーシングは、該ケーシングの本体部又は該本体部から一方の突状部にかけて配置された圧力が調整された医療用酸素の流量を設定する流量設定部材と、該ケーシングの本体部又は該本体部から他方の突状部にかけて配置され流量が設定された医療用酸素を患者に対し連続して供給し又は患者の吸気に対応させて供給する弁部材と、該ケーシングの何れか一方の突状部に配置され、患者に対する医療用酸素の供給を連続的に行う連続供給又は吸気に対応させて行う吸気同調供給を選択する選択スイッチと、該ケーシングの他方の突状部に配置され、患者の吸気を検出する吸気検出センサと、該ケーシングの他方の突状部に配置され、吸気の有無を表示する吸気表示部と、該ケーシングの他方の突状部に配置され、前記選択スイッチによって吸気同調供給が選択されると共に前記流量設定部材によって流量が設定されたとき前記吸気検出センサの検出信号に基づいて前記弁部材を開閉すると共に前記吸気表示部に表示させるように制御する制御部と、を有することが好ましい。
【発明の効果】
【００１３】
本発明に係る医療用酸素供給装置（以下「酸素供給装置」という）は、酸素供給装置が本体部と一対の突状部とからなる略コ字状のケーシングを有するため、医療用酸素ボンベ（以下「ボンベ」という）に取り付けたとき、ケーシングの本体部と一対の突状部が該ボンベの口金を三方から取り囲むように配置される。このため、酸素供給装置のボンベの口金からの突出長さが小さくなり、周囲の邪魔になることがなく、且つボンベの起立状態の安定化をはかることができる。
【００１４】
また、摺動部と、ボンベの口金に嵌装される嵌装部と、を有する嵌装部材を取付部材に摺動可能に装着したので、該嵌装部材の嵌装部をボンベの口金に嵌装することで、酸素供給装置のノズルとボンベの口金の開口部を確実に対向させることができる。このため、在宅でボンベの口金に酸素供給装置を取り付ける際の作業を容易に行うことができ、且つ確実な取り付けを実現できる。
【００１５】
また、患者の吸気を吸気検出センサによって検出して吸気の有無を表示することができる。
【図面の簡単な説明】
【００１６】
【図１】本実施例に係る酸素供給装置に於ける構成要素の配置を説明する平面図である。
【図２】図１のII矢視図である。
【図３】図１のIII矢視図である。
【図４】図１のIV矢視図である。
【図５】嵌装部材の構成を説明する図である。
【図６】嵌装部材を酸素供給装置に取り付ける際の手順を説明する模式図である。
【図７】嵌装部材を介して酸素供給装置をボンベの口金に取り付ける際の手順を説明する模式図である。
【発明を実施するための形態】
【００１７】
本発明に係る酸素供給装置は、ボンベの口金に取り付ける取付部材に摺動可能に嵌装部材を取り付けることで、該口金に対する酸素供給装置の取付作業を容易に各確実に行えるようにしたものである。
【００１８】
また、圧力調整機能と、流量設定機能及び患者に対する供給停止機能を夫々異なる部材として構成し、これらの部材をケーシングの内部に合理的に配置することで、ボンベの口金に取り付けたときの突出長さを小さくしたものである。そして、この構成によって、自立させたボンベに取り付けたときの安定性を向上させることが可能となり、且つ周囲に対して邪魔になることがない。
【００１９】
本実施例に係る酸素供給装置の構成について図により説明する。図に示す酸素供給装置Ａは、ボンベの口金Ｂに取り付けるための取付部材１と、該取付部材１に摺動可能に装着された嵌装部材Ｃと、取付部材１と一体的に構成され内部に後述する各部材などを収容したケーシング１０を有して構成されている。
【００２０】
取付部材１は、ボンベの口金Ｂを挿通するための穴２を有する平面視が略ロ字状に形成されている。また、取付部材１の片１ａには押圧部材となる押しネジ３が配置されており、該片１ａと対向する片１ｂを介してケーシング１０と一体化し、該片１ｂに後述する圧力調整部材１２のノズル１２ａが対応している。片１ａと片１ｂとは一対の片１ｃ、１ｄによって接続されている。
【００２１】
ケーシング１０は、取付部材１の片１ｂと一体化した本体部１０ａと、この本体部１０ａと連続して形成され取付部材１の片１ｄ、１ｅと並行して配置された一対の突状部１０ｂ、１０ｃと、を有して構成されている。特に、突状部１０ｂ、１０ｃは夫々取付部材１の片１ｃ、１ｄに沿って並行して形成されている。このため、ケーシング１０は平面視が略コ字状に形成されている。
【００２２】
また、ケーシング１０の取付部材１側の端面には、位置決め用のピン１０ｄが配置されている。更に、ケーシング１０は下部体と上部体とに分割されており、下部体に後述する各部材が取り付けられると共に、上部体に後述する表示部が配置されている。
【００２３】
酸素供給装置Ａの説明に先立って、嵌装部材Ｃの構成について図５により説明する。この嵌装部材Ｃは、現在一般的に利用されているボンベの口金Ｂに酸素供給装置Ａを取り付ける際に用いられるものである。このボンベの口金Ｂには側面に開口部４ａ及びピン穴４ｂが形成されている。
【００２４】
図に示す嵌装部材Ｃは、酸素供給装置Ａの取付部材１に摺動可能に装着される摺動部５と、摺動部５の摺動方向と交差する方向に形成されボンベの口金Ｂに嵌装される嵌装部６、を有して構成されている。本実施例では、摺動部５による取付部材１の摺動方向と、嵌装部６による口金Ｂに対する嵌装方向は直交している。
【００２５】
そして、摺動部５を酸素供給装置Ａの取付部材１に装着し、この状態で嵌装部６をボンベの口金Ｂに嵌装したとき、ノズル１２ａが口金Ｂの開口部４ａに対向し、且つピン１０ｄがピン穴４ｂに対向し得るように構成されている。
【００２６】
摺動部５は、取付部材１の片１ｃ、１ｄの外周を包み込むように嵌合し、この状態で片１ｃ、１ｄに沿って摺動する。そして、この摺動によってノズル１２ａを口金Ｂのハンドル４ｃとの衝突を防ぐように回避させることが可能であり、押ねじ３の回転に伴ってノズル１２ａを口金Ｂに形成された開口部４ａ側に移動させて円滑に結合することが可能である。このため、摺動部５は、ハンドル４ｃとの干渉を避けるために、嵌装部６の端部から起立して形成された一対の挟持片５ａによって構成されている。
【００２７】
嵌装部６はボンベの口金Ｂに嵌装されるものであり、口金Ｂの断面形状と対応する形状を有する筒状の本体部６ａを有している。この本体部６ａの一方の端部に摺動部５を構成する挟持片５ａが形成され、他方の端部側の内面に口金Ｂの基部と当接する当接部６ｂが形成されている。
【００２８】
次に上記の如く構成された嵌装部材Ｃを利用して酸素供給装置Ａをボンベの口金Ｂに取り付ける際の手順について図６、図７により説明する。尚、取付部材１はケーシング１０の突状部１０ｂ、１０ｃの間に配置されている。しかし、同図では記載の煩雑さを避けるため取付部材１のみを記載している。
【００２９】
先ず、図６により、嵌装部材Ｃを酸素供給装置Ａの取付部材１に取り付ける手順を説明する。図６（ａ）に示すように、酸素供給装置Ａの取付部材１に螺合してある押しねじ３を離脱させる。そして、摺動部５の挟持片５ａを取付部材１の片１ｃ１ｄに嵌合する。その後、同図（ｂ）に示すように、押しねじ３を取付部材１に螺合させる。このとき、押しねじ３は、取付部材１から落下することがない程度に螺合していれば良い。このようにして嵌装部材Ｃを取付部材１に取り付けたとき、該嵌装部材Ｃは取付部材１の片１ｃ、１ｄに沿って摺動可能となる。
【００３０】
次いで図７（ａ）に示すように、嵌装部材Ｃの嵌装部６をボンベの口金Ｂの上方に配置して嵌装させる。このとき、押しねじ３が穴２に露出することがないため、同図（ｂ）に示すように円滑な嵌装を実現することが可能である。そして、嵌装部材Ｃの嵌装部６に設けた当接部６ｂが口金Ｂの基部に当接したとき、酸素供給装置Ａのノズル１２ａが口金Ｂに形成した開口部４ａと対向し、ピン１０ｄが開口部４ａの下側に設けたピン穴４ｂに対向する。
【００３１】
更に、同図（ｃ）に示すように、押しねじ３を締め付けることで、酸素供給装置Ａは取付部材１に沿って矢印ａ方向に移動する。そして、酸素供給装置Ａに設けたノズル１２ａが開口部４ａに嵌合すると共にピン１０ｄがピン穴４ｂに嵌合する。
【００３２】
このように、嵌装部材Ｃを利用して酸素供給装置Ａをボンベの口金Ｂに対して取り付ける際に、酸素供給装置を片手で保持しながらノズルを開口部に対向したか否かを目視により確認する必要がなく、容易に確実に取り付けることが可能である。
【００３３】
次に、酸素供給装置Ａの構成について具体的に説明する。
【００３４】
ケーシング１０の本体部１０ａであって取付部材１をボンベの口金Ｂに取り付けたとき、ノズル１２ａが該口金Ｂの開口部と対向する位置となるように圧力調整部材１２が配置されている。圧力調整部材１２の構造は特に限定するものではないが、ノズル１２ａに対しダイヤフラムやケレップを有する減圧機構が交差するように構成したものであることが好ましい。
【００３５】
圧力調整部材１２は圧力計１２ｂを有しており、該圧力計によってボンベに充填された医療用酸素（以下単に「酸素）という）の圧力を確認し得るように構成されている。
【００３６】
上記の如く構成された圧力調整部材１２では、該圧力調整部材１２の長手方向を取付部材１の片１ｂと並行して配置することで、ケーシング１０の本体部１０ａの長手方向に一致させることが可能となる。このため、供給装置Ａのボンベの口金Ｂからの突出長さを大きくすることがない。
【００３７】
ケーシング１０の本体部１０ａに、或いは本体部１０ａから一方の突状部例えば突状部１０ｂにかけて、流量設定部材１３が配置されている。この流量設定部材１３の構成も特に限定するものではなく、予め設定された寸法を有する複数のオリフィスを選択することで流量を設定するような構成であることが好ましい。
【００３８】
本実施例の流量設定部材１３では、流量設定部材１３にはダイヤル１３ａを有しており、このダイヤル１３ａによって寸法の異なる複数のオリフィスが形成されたオリフィスプレート（図示せず）を回動させることで、患者に供給する酸素流量を設定し得るように構成されている。
【００３９】
ケーシング１０の本体部１０ａに、或いは本体部１０ａから他方の突状部１０ｃにかけて、患者に対する酸素の供給、停止を行う弁部材１４が配置されている。この弁部材１４には差込部１４ａが設けられており、該差込部１４ａにカニューラを差し込むことで患者に酸素を供給することが可能で、且つ患者の吸気に対応した負圧を伝えることが可能である。弁部材１４の構造を特に限定するものではない。しかし、ピエゾ素子を利用したものであると好ましい。
【００４０】
弁部材１４には二つの酸素通路が形成されている。即ち、一方の酸素通路は患者に対する酸素の供給を吸気に同調させるように後述する負圧センサ１８や開閉弁を介在させて構成されている。また、他方の酸素通路は患者に対して連続的に酸素を供給し得るように負圧センサ１８や開閉弁を介在させることのないバイパス通路として構成されている。
【００４１】
ケーシング１０の何れかの突状部、例えば突状部１０ｂに患者に対して酸素を連続的に供給するか或いは吸気に対応させて吸気同調供給するかを選択する選択スイッチ１５が配置されている。この選択スイッチ１５は、ケーシング１０の突状部１０ｂの上面に突出させたレバー１６によって操作され、「同調」、「連続」、「切」を選択し得るように構成されている。
【００４２】
また、ケーシング１０の他方の突状部１０ｃには、患者の吸気を検出する吸気検出センサとなる負圧センサ１８が配置されており、上面に吸気の有無を表示する表示部となるランプ１９が配置されている。更に、突状部１０ｂには弁部材１４、ランプ１９の作動を制御する制御部２０が配置されている。
【００４３】
制御部２０は、選択スイッチ１５によって選択した「同調」、「連続」に対応させた動作プログラムを記憶しており、同調が選択された場合には、負圧センサ１８から発生した吸気信号に対応させて弁部材１４を開閉し、且つランプ１９を点灯させるように制御する。また、連続が選択された場合には、弁部材１４を開放状態で保持するように制御する。
【００４４】
尚、２１はケーシング１０の本体部１０ａから一方の突状部１０ｂにかけての空間に収容した電池である。
【００４５】
次に、ケーシング１０の内部に於ける酸素の流通経路について説明する。ボンベから供給された酸素はノズル１２ａから圧力調整部材１２に供給されて予め設定された圧力に調整される。圧力が調整された酸素は図示しないチューブを介して、該圧力調整部材１２の接続部１２ｃから流量設定部材１３の接続部１３ｂに供給される。
【００４６】
流量設定部材１３では、選択スイッチ１５によって選択された同調供給或いは連続供給に対応して二つの接続部１３ｃ、１３ｄが設けられている。そして、図示しないチューブを介して同調供給の場合は接続部１３ｃから弁部材１４の接続部１４ｃに供給され、連続供給の場合は接続部１３ｄから弁部材１４の接続部１４ｄに供給される。
【００４７】
また、弁部材１４の接続部１４ｅと負圧センサ１８の接続部１８ａがチューブによって接続され、差込部１４ａに接続されたカニューラを介して患者の吸気に伴う負圧を検出し得るように構成されている。
【００４８】
上記の如く構成された供給装置Ａでは、前述したように、取付部材１に嵌装部材Ｃを取り付け、該嵌装部材Ｃを介してボンベの口金Ｂに装着する。その後、ハンドル４ｃを操作して口金Ｂを開放すると、酸素は開口部４ａ、ノズル１２ａを通って圧力調整部材１２に供給されて予め設定された圧力に調整されて接続部１２ｃから流量設定部材１３の接続部１３ｂに供給される。
【００４９】
レバー１６を操作して選択スイッチ１５の同調、連続の何れかを選択すると共に、流量設定部材１３のダイヤル１３ａを回動させて流量を設定する。このとき、選択スイッチ１５によって選択された同調供給或いは連続供給に対応して発生した信号、及び流量設定部材１３のダイヤル１３ａの回動位置を検出したポジションセンサ１３ｅから発生した設定流量に対応した信号は夫々制御部２０に伝えられる。そして、圧力及び流量が設定された酸素は、選択された供給仕様に応じて、同調の場合には接続部１３ｃから弁部材の接続部１４ｃに供給され、連続の場合には接続部１３ｄから接続部１４ｄに供給される。
【００５０】
患者に対する酸素の供給が同調である場合、患者の吸気が弁部材１４の接続部１４ｅから負圧センサ１８の接続部１８ａに伝えられる。そして、負圧センサ１８で発生した吸気の信号と、流量設定部材１３のポジションセンサ１３ｅからの信号と、が制御部２０に伝えられる。制御部２０では、これらの信号に基づいて弁部材１４を一定時間開放すると共にランプ１９を点灯する。
【００５１】
また、患者に対する酸素の供給が連続である場合、患者の吸気の有無に関わらず、ダイヤル１３ａの操作に伴って設定された流量の酸素は弁部材１４に形成されたバイパス通路を通して連続的に供給される。
【００５２】
上記酸素供給装置Ａは、取付部材１に嵌装部材Ｃを取り付けておくことで、該嵌装部材Ｃをボンベの口金Ｂに嵌装する作業を行うことによって、開口部４ａとノズル１２ａを対向させると共にピン穴４ｂとピン１０ｄを対向させることが可能となる。このため、酸素供給装置Ａをボンベの口金Ｂに取り付ける際の作業を容易に且つ確実に行うことが可能となる。
【００５３】
特に、酸素供給装置Ａは、ボンベの口金Ｂに取り付ける取付部材１の３片１ｂ〜１ｄに沿って該取付部材１を取り囲む形状を有している。このため、ボンベの口金Ｂに取り付けたとき、供給装置Ａを構成する各部材はボンベの口金Ｂの周囲に配置されることとなり、床に起立させたボンベであっても安定した状態を保持することが可能である。
【００５４】
また、カートに搭載して移動するような場合でも、ボンベの口金Ｂから突出する部分が少なくなり、周囲の邪魔になることがない。
【００５５】
また、在宅で酸素供給装置Ａをボンベの口金Ｂに取り付ける際にも、取付部材１に嵌装部材Ｃを装着しておくことで、該装着部材Ｃの嵌装部６をボンベの口金Ｂに嵌装することで、該口金Ｂに設けた開口部４ａとノズル１２ａ、ピン穴４ｂとピン１０ｄを確実に対抗させることが可能となり、容易で各確実なな取り付けを実現することが可能となる。
【産業上の利用可能性】
【００５６】
本発明に係る供給装置Ａは、高圧酸素が充填されたボンベを酸素の供給源としたときに有利である。
【符号の説明】
【００５７】
Ａ                  供給装置
Ｂ                  ボンベの口金
Ｃ                  嵌装部材
１                  取付部材
１ａ〜１ｄ          片
２                  穴
３                  押しネジ
４ａ                開口部
４ｂ                ピン穴
４ｃ                ハンドル
５                  摺動部
５ａ                挟持片
６                  嵌装部
６ａ                本体部
６ｂ                当接部
１０                ケーシング
１０ａ              本体部
１０ｂ、１０ｃ      突状部
１０ｄ              ピン
１２                圧力調整部材
１２ａ              ノズル
１２ｂ              圧力計
１２ｃ、１３ｂ〜１３ｄ、１４ｃ〜１４ｅ、１８ａ
接続部
１３                流量設定部材
１３ａ              ダイヤル
１３ｅ              ポジションセンサ
１４                弁部材
１４ａ              差込部
１５                選択スイッチ
１６                レバー
１８                負圧センサ
１９                ランプ
２０                制御部
２１                電池
【図１】
2020006016.tif 000003
【図２】
2020006016.tif 000004
【図３】
2020006016.tif 000005
【図４】
2020006016.tif 000006
【図５】
2020006016.tif 000007
【図６】
2020006016.tif 000008
【図７】
2020006016.tif 000009